(57)【特許請求の範囲】
【請求項１】
壁下構造材に固定される固定片と、屋外側へ張り出して設けられ、外壁材の下端部を係止して支持する下受け片と、上端部の固定片と下端部の下受け片との間において屋外側へ突出して設けられ、下受け片に下端部が支持された外壁材の背面に先端が当接される押え片とを備えて、横長の長尺に取付具本体を形成すると共に、押え片を、上側の上片部と下側の下片部と先端部の固定片と平行な平面の当接面とから断面横Ｖ字型に屈曲して形成し、下受け片と押え片にそれぞれ取付具本体の上側と下側とを連通させる通孔を設けると共に、この通孔を、押え片の上片部と下片部及び下受け片の屋内外方向の中央部にそれぞれ形成され、主として通気を行なう通気孔と、屋外側端部において押え片の上片部から当接面を介して下片部に至る部分と、屋内側端部において押え片の下片部から下受け片に至る部分に形成され、主として排水を行なう排水孔とで形成して成ることを特徴とする外壁材の取付具。
【請求項２】
上記の通孔を、所定間隔で取付具本体の長手方向の複数箇所に設けて成ることを特徴とする請求項１に記載の外壁材の取付具。
【請求項３】
上記の通孔を、細長い形状に形成して成ることを特徴とする請求項１又は２に記載の外壁材の取付具。
【発明の詳細な説明】
【技術分野】
【０００１】
本発明は、外壁材を施工する際に、外壁材の下端部を支持して取り付けるために用いられる取付具に関するものである。
【背景技術】
【０００２】
セメントなど窯業系の横長の外壁材３を用いて家屋の外壁を施工するにあたっては、外壁材３を上下複数段に配置すると共に各段の外壁材３を上下に接続して、土台や柱などの壁下構造材１に取り付けることによって行なわれている。このように上下複数段に外壁材３を施工する場合、外壁材３の取り付けは下段のものから上段のものへと下から順に行なわれる。
【０００３】
図５は取付具Ａをスタータとして用いて、最下段の外壁材３を壁下構造材１に取り付けた状態を示すものであり、図５において１１は基礎であり、壁下構造材１は土台１ａや柱（あるいは間柱）１ｂから形成してある。また１２は壁下構造材１の屋外面に張って取り付けた透湿性の防水シート、１３は土台１ａの屋外面に取り付けた水切り板である。そして、水切り板１３の上から取付具Ａをビス等の固着具１４を用いて土台１ａに固定し、最下段の外壁材３の下端部の係合凹部９をこの取付具Ａに係止させて支持することによって、最下段の外壁材３の下端部を取り付けることができるものである。次に、この外壁材３の上端部を金具（図示省略）を用いて柱（あるいは間柱）１ｂなどに固定し、この外壁材３の上端部の係合凸部（図示省略）に、上段に配置される外壁材３の下端部の係合凹部９を係合させることによって、下段と上段の外壁材３を上下に接続すると共に上段の外壁材３の下端部の固定を行なう。以下同様にして複数段の外壁材３の取付と接続を行なって、家屋の外壁を施工することができるものである。
【０００４】
ここで、最下段の外壁材３の下端部を支持するスタータとして用いられる取付具Ａは、図６に示すように、幅が外壁材３の横方向の寸法よりもはるかに小さい１０ｃｍ程度のピースものとして形成されている。従って、複数個の取付具Ａを土台１ａなどの壁下構造材１に横方向に所定間隔で取り付けて、外壁材３の下端部を横方向の複数箇所で取付具Ａで支持することによって、外装材３の取り付けを行なうことができるものである（例えば、特許文献１、特許文献２等参照）。
【特許文献１】実開平４−２４９２８号公報
【特許文献２】特開２００１−７３５２９号公報
【発明の開示】
【発明が解決しようとする課題】
【０００５】
しかし上記のように、複数個の取付具Ａを壁下構造材１に取り付けて、外壁材３の複数箇所を取付具Ａで支持する場合、各取付具Ａの壁下構造材１への取り付け高さのレベルが揃っていないと、外壁材３の複数箇所を各取付具Ａで正常に支持することができない。このため、各取付具Ａの取り付け高さのレベル合わせをしながら、各取付具Ａの取り付けを行なう必要があり、施工が繁雑になるという問題があった。
【０００６】
本発明は上記の点に鑑みてなされたものであり、取り付け高さのレベル合わせを行なうような必要なく取り付けを行なうことができ、施工の手間を簡略化することができると共に、外壁材の背面の通気や排水を確保することもできる外壁材の取付具を提供することを目的とするものである。
【課題を解決するための手段】
【０００７】
本発明の請求項１に係る外壁材の取付具は、壁下構造材１に固定される固定片２と、屋外側へ張り出して設けられ、外壁材３の下端部を係止して支持する下受け片４と、上端部の固定片２と下端部の下受け片４との間において屋外側へ突出して設けられ、下受け片４に下端部が支持された外壁材３の背面に先端が当接される押え片５とを備えて、横長の長尺に取付具本体６を形成すると共に、押え片５を、上側の上片部５ａと下側の下片部５ｂと先端部の固定片２と平行な平面の当接面２１とから断面横Ｖ字型に屈曲して形成し、下受け片４と押え片５にそれぞれ取付具本体６の上側と下側とを連通させる通孔７を設けると共に、この通孔７を、押え片５の上片部５ａと下片部５ｂ及び下受け片４の屋内外方向の中央部にそれぞれ形成され、主として通気を行なう通気孔７ａと、屋外側端部において押え片５の上片部５ａから当接面２１を介して下片部５ｂに至る部分と、屋内側端部において押え片５の下片部５ｂから下受け片４に至る部分に形成され、主として排水を行なう排水孔７ｂとで形成して成ることを特徴とするものである。
【０００８】
また請求項２の発明は、請求項１において、上記の通孔７を、所定間隔で取付具本体６の長手方向の複数箇所に設けて成ることを特徴とするものである。
【０００９】
また請求項３の発明は、請求項１又は２において、上記の通孔７を、細長い形状に形成して成ることを特徴とするものである。
【発明の効果】
【００１１】
本発明によれば、外壁材３の下端部を係止して支持する下受け片４を有する取付具本体６を横長の長尺に形成することによって、一本の取付具本体６で外壁材３を支持することが可能になり、取付具Ａを壁下構造材１に取り付けるにあたって、取り付け高さのレベル合わせを行なうような必要がなくなる。またこのように取付具本体６を横長の長尺に形成して一本の取付具本体６で外壁材３を支持することができるようにしたにも拘わらず、外壁材３の背面側の通気や排水を通孔７によって確保することができる。
【発明を実施するための最良の形態】
【００１２】
以下、本発明を実施するための最良の形態を説明する。
【００１３】
図１及び図２は取付具Ａの一例を示すものである。この取付具Ａは図３に展開した状態を示すような、一枚のガルバリウム鋼板やスレンテス板などの金属板を折曲加工することによって、図２のように固定片２と下受け片４と押え片５とからなる取付具本体６を形成するようにしてある。この取付具本体６は、横長に形成される外装材３の横寸法とほぼ同じ長さの寸法に設定してあり、図１に示すように、例えば高さ寸法Ｈが３ｃｍ程度であるのに対して横方向の寸法Ｌが３００ｃｍ程度の長尺に形成されるものである。
【００１４】
固定片２は鉛直片として形成してあり、所定の一定間隔で固定用孔２０が穿設してある。また押え片５は固定片２の下端に、断面横Ｖ字型に屈曲して屋外側へ突出するように形成してあり、押え片５の屋外側の先端部は固定片２と平行な平面の当接面２１として形成してある。さらに下受け片４は押え片５の下端に、屋外側へほぼ水平に張り出すように形成してあり、下受け片４の屋外側の先端部に屋外側へ向けて斜め上方に突出する係止部２２が全長に亘って設けてある。下受け片４の屋内側の端部は、固定片２の下方への延長線上に位置するものであり、また外壁材３の荷重による撓みを考慮して、下受け片４は屋外側へ向けて僅かに上方へ傾斜するようにしてある。
【００１５】
押え片５は上記のように断面横Ｖ字型に屈曲しているために、上片部５ａと下片部５ｂとからなるが、押え片５のこの上片部５ａと下片部５ｂ及び下受け片４にそれぞれ通孔７が穿設してある。通孔７は、上片部５ａと下片部５ｂの屋内外方向でのほぼ中央部の部分と、押え片５の屋外側端部において上片部５ａから当接面２１を介して下片部５ｂに至る部分と、下受け片４の屋内側端部において押え片５の下片部５ｂから下受け片４に至る部分にそれぞれ形成されるものである。
【００１６】
押え片５の上片部５ａと下片部５ｂ及び下受け片４の各中央部の部分に設けた通孔７は、主として通気の機能を果たす通気孔７ａとして形成されるものであり、押え片５の屋外側端部の部分と、下受け片４の屋内側端部の部分に設けた通孔７は、主として排水の機能を果たす排水孔７ｂとして形成されるものである。
【００１７】
押え片５の上片部５ａの通気孔７ａと下片部５ｂの通気孔７ａ及び下受け片４の通気孔７ａは、図２（ａ）に示すように上下方向で対応する位置に設けられるものであり、また通気孔７ａは図１に示すように、近接して形成される一対の通気孔７ａを一組として、取付具本体６の長手方向に所定の一定間隔で複数箇所において設けてある。この間隔は、例えば４．５ｃｍ程度に設定することができるものである。
【００１８】
また押え片５の屋外側端部の排水孔７ｂと下受け片４の屋内側端部の排水孔７ｂは、図２（ｂ）に示すように屋内外方向で対応する位置に設けられるものであり、取付具本体６の長手方向に所定の一定間隔で複数箇所において設けてある。例えば図１に示すように、一つ置きの隣合う組の通気孔７ａの間の位置に、９ｃｍ程度の間隔で設けられるものである。
【００１９】
上記のような取付具本体６からなる取付具Ａを用いて外壁材３を取り付けるにあたっては、まず上記の図５と同様にして、固定用孔２０からビス等の固着具１４を通して土台１ａなどの壁下構造材１に打ち付けることによって、壁下構造材１の屋外側に取付具Ａを固定する。このとき、取付具Ａは外壁材３の横寸法と同程度に長い長尺に形成してあるので、一枚の外壁材３に対して一本の取付具Ａを用いるだけでよく、複数の取付具Ａを用いる従来のように、取り付け高さのレベル合わせを行なうような必要はない。そして上記の図５と同様にして、図４に示すように、最下段の外壁材３の下端部の係合凹部９をこの取付具Ａの下受け片４の係止部２２に係止させた状態で、外壁材３の下端部を下受け片４の上に載置することによって、最下段の外壁材３の下端部を取り付けることができるものである。このように最下段の外壁材３の下端部を下受け片４に係止させた状態で載置すると、外壁材３の背面に押え片５の当接面２１が当接し、外壁材３の屋内外方向での位置決めがなされ、外壁材３の背面と壁下構造材１の防水シート１２との間に通気用の空間２４が形成される。後は、既述のように、この最下段の外壁材３の上端部を金具を用いて柱（あるいは間柱）１ｂなどの壁下構造材１に固定し、この外壁材３の上に他の外装材３を接続し、複数段の外壁材３の取り付けを行なうことによって、家屋の外壁を施工することができるものである。
【００２０】
上記のように長尺の取付具Ａを用いて最下段の外壁材３の取り付けを行なうと、外壁材３の背面の通気用空間２４の下端部が取付具Ａで塞がれてしまうことになる。そこで本発明では、上記のように、下受け片４と押え片５にそれぞれ取付具本体６の上側と下側とを連通させる通孔７を設けるようにしてある。そして、通気用空間２４内と外気との流通は、通孔７のうち、主として、押え片５の上片部５ａと下片部５ｂ及び下受け片４に設けた通気孔７ａによっておこなわれるものであり、特に上片部５ａと下片部５ｂ及び下受け片４にそれぞれ設けた通気孔７ａは上下方向で対応する位置に形成されているので、図２（ａ）の矢印のように通気孔７ａを空気がスムーズに通過し、通気用空間２４と外気との流通を効率良く行なわせることができるものである。勿論、空気の流通は、この通気孔７ａの他に、排水孔７ｂによっても行なわれる。
【００２１】
また外壁材３の背面側の結露水や、通気用空間２４に流入した雨水などの水は、通孔７のうち、主として排水孔７ｂを通して排水される。例えば図２（ｂ）のように、外壁材６の背面を流下する水は、押え片５の屋外側端部の排水孔７ｂを通過して下受け片４の上に至り、下受け片４の上を流れて下受け片４の屋内側端部の排水孔７ｂを通して排水されるものである。また通気用空間２４において防水シート１２の表面を流下する水は、押え片５の上片部５ａの上を流れた後、押え片５の屋外側端部の排水孔７ｂを通過して下受け片４の上に至り、下受け片４の上を流れて下受け片４の屋内側端部の排水孔７ｂを通して排水されるものである。このとき、押え片５の屋外側端部の排水孔７ｂと下受け片４の屋内側端部の排水孔７ｂは、屋内外方向で対応する位置に設けられているので、下受け片４上での水の流れの経路が短くなり、排水を効率良く行なうことができるものである。勿論、排水は、この排水孔７ｂの他に、排気孔７ａによっても行なわれる。
【００２２】
ここで、上記の通孔７、特に通気孔７ａは細長い形状に形成してあり、幅狭の孔として形成してある。このため、通孔７を通って鼠や蜂等の虫が通気用空間２４に侵入することを防ぐことができるものである。また、通気孔７ａや排水孔７ｂは長尺の取付具Ａの長手方向の複数箇所に等間隔で設けてあるので、通気や排水は取付具Ａの長手方向で均一に効率良く行なわれると共に、取付具Ａを必要な長さに切断して使用する場合にも、切断後の取付具Ａには通気孔７ａや排水孔７ｂが存在するようにすることができるものである。
【図面の簡単な説明】
【００２３】
【図１】本発明に係る取付具の実施の形態の一例を示すものであり、（ａ）は正面図、（ｂ）は平面図である。
【図２】同上の取付具を示すものであり、（ａ）は図１（ａ）のイ−イ線拡大断面図、、（ｂ）は図１（ａ）のロ−ロ線拡大断面図である。
【図３】同上の取付具の展開した状態の正面図である。
【図４】同上の取付具を用いた施工状態を示す斜視図である。
【図５】従来例の断面図である。
【図６】従来例の斜視図である。
【符号の説明】
【００２４】
１  壁下構造材
２  固定片
３  外壁材
４  下受け片
５  押え片
５ａ  上片部
５ｂ  下片部
６  取付具本体
７  通孔
７ａ  通気孔
７ｂ  排水孔
２１  当接面
【図１】
0004473795.tif 000002
【図２】
0004473795.tif 000003
【図３】
0004473795.tif 000004
【図４】
0004473795.tif 000005
【図５】
0004473795.tif 000006
【図６】
0004473795.tif 000007